(57)【要約】【課題】鑑賞植物の幹や枝の育成とともに、風雨からの折損や倒伏を保護する自在支柱である。【解決手段】土中に差し込む支柱は、鑑賞植物の根を痛めないように、下端部を扁平状に形成しており、固定金具に螺着した副支柱を、支柱に装着し、鑑賞植物の幹あるいは枝の任意の位置に合わせて、副支柱を固定金具に捻じ込むことで、幹や枝を固定することができ、風雨からの損傷を免れる。また、副支柱に、副固定金具に螺着した副副支柱を装着、固定することにより、より多くの枝を保護でき、且つ、副支柱や副副支柱を鑑賞植物の枝の成長に伴って、増加減することが容易である。【選択図】  図２
2004357676.tif 000002
【特許請求の範囲】
【請求項１】
鑑賞植物（１０）の幹や枝を固定する自在支柱であり、土中（１１）に差込まれる下端部が扁平状（６）に形成された円筒の支柱（１）と前記支柱（１）に着脱・回転が可能な固定金具（２）と前記固定金具（２）に設けられた螺合部（３）に副支柱（４）のネジ込み部（５）を螺着して前記固定金具（２）を前記支柱（１）の任意の位置に固定可能とすることを特徴とした鑑賞植物用自在支柱。
【請求項２】
請求項１記載の鑑賞植物用自在支柱において、前記副支柱（４）に着脱・回転が可能な副固定金具（７）と前記副固定金具（７）に設けられた螺合部（３）に副副支柱（８）のネジ込み部を螺着して、前記副支柱（４）の任意の位置で固定が可能となることを特徴とした鑑賞植物用自在支柱。
【請求項３】
請求項１記載の鑑賞植物用自在支柱において、前記円筒の支柱（１）の上端部が中空であり、上方部側面にネジ穴部（９）を設けている事を特徴とした鑑賞植物用自在支柱。
【発明の詳細な説明】
【０００１】
【発明の属する技術分野】
この発明は、鑑賞植物の育成と、風雨からの損傷を防ぎ、保護する支柱である。
【０００２】
【従来の技術】
従来の支柱は、樹木や植物の幹を支えることを目的としているため、枝を支えることができず、風雨から枝を保護する事ができない（例えば、特許文献１参照）。
また、支柱を固定するための用具は、あらかじめ土中に埋設し、それに支柱を差し込むとした植木等の支持具もあるが、枝を保護することができない（例えば、特許文献２参照）。
【０００３】
【特許文献】
特開平０７−２６４９３７号公報（第２頁から第３頁）
【０００４】
【特許文献２】
特開平１１−３３２３９２号公報（第２頁から第４頁）
【０００５】
【発明が解決しようとする課題】
そのために、上記の様な従来の支柱や支持具では、次のような欠点があった。鑑賞植物の枝を保護するためには支柱を多く差し込む必要があり、鑑賞植物の根を痛めやすかった。  また、支柱に鑑賞植物の幹を結束する事により、倒伏からの保護がされ得ても、幹から成長する枝は、保護されることがなく、風雨からの損傷を免れない。
さらには、支柱と支柱を固定する用具が分離しており、一体化されたものでなく、固定する用具を土中に差し込み、又は埋設をした後に支柱を取り付けるという作業面においても煩雑になっており、労力を要する。
【０００６】
【課題を解決するための手段】
本発明は、上記の課題を解決するためになされたもので、土中に差し込まれる下端部が扁平状に形成された円筒の支柱と、前記の支柱に着脱及び回転が可能な固定金具に設けられた螺合部に、副支柱のネジ込み部を螺着して、前記の固定金具を前記支柱の任意の位置に固定を可能とする鑑賞植物用自在支柱である。
さらに、前記の支柱に装着された副支柱に、着脱及び回転が可能な副固定金具に設けられた螺合部に副副支柱を螺着し、前記の副支柱の任意の位置で固定を扁平状しても良い。
また、前記の支柱の上方部が中空であり、上方部に近い側面の位置にネジ穴を設け、雨や陽光から保護できる用具を設置できるようにしても良い。
【０００７】
【発明の実施の形態】
以下、本発明の実施形態を実施例となる図面を参照して説明する。
図１は、本発明の実施例となる鑑賞植物用自在支柱の使用例を示す全体図である。  図２は、本発明の鑑賞植物用自在支柱の斜視図である。
図３は、そのＡ−Ａ’の拡大断面図であり、図４はＢ−Ｂ’の拡大断面図であり、図５はＣ−Ｃ’の拡大断面図であり、図６はＤ−Ｄ’の図面である。  図７は、傘状の用具を使用する参考図である。
図１から図５及び図７に示すように、支柱１は、外径２０ｍｍ前後で長さが１５０ｃｍから２００ｃｍ前後の金属や合成樹脂等からなるパイプで、一端を扁平状に形成し、反対側の上方部側面にネジ穴６を設け、中空のままとする。
そして、前記の支柱１に固定金具２が着脱及び回転が可能に取付けられる。
支柱１に着脱及び回転が可能な固定金具２とは、図３及び図４に示すように、支柱１の外径よりも大きな内径を有した短いパイプであり、その側面には穴があいてり、その穴の位置に合わせて、ナットを接合して螺合部を形成する。パイプの長さが３ｃｍから５ｃｍ前後で、ナットは８ｍｍから１２ｍｍである。
前記の固定金具２に設けられた螺合部３に、螺着する副支柱４は、パイプの一端にボルトを接合したネジ込み部５が設けられ、反対側の端面は中空のままである。  副支柱４のパイプの外径は１０ｍｍ前後で、長さ２０ｃｍから６０ｃｍ前後とし、ネジ込み部５が、前記の固定金具２に接合されているナットと同サイズのボルトを接合したものである。
副支柱４に着脱及び回転が可能な副固定金具７は、図６で示すように、固定金具２と同形状の小型のもので、短いパイプの側面に穴があいており、その穴の位置に合わせて、ナットの接合をしたものである。副固定金具７に使用する短いパイプは、副支柱４のパイプの外径よりも大きい内径を有したパイプを、３ｃｍ前後とし、側面の穴の位置に、８ｍｍ前後のナットが接合したものである。
副固定金具７に螺着される副副支柱８は、副支柱４と同形状の小型のもので、パイプの一端にボルトを接合し、反対側の端面は中空のままであり、パイプの外径が８ｍｍ前後で、長さが２０ｃｍから４０ｃｍのパイプで、副固定金具７に接合されているナットと同サイズのボルトを接合したものである。
鑑賞植物用自在支柱に使用する材料の材質は、腐食に耐える金属又は合成樹脂を使用するのが良い。
【０００８】
本発明の鑑賞植物用自在支柱を使用するときは、図１に示すように、支柱１の扁平状６の下端部を土中１１に差し込み、固定金具２の螺合部３に副支柱４のネジ込み部５を装着して、支柱１に挿入する。鑑賞植物１０の幹又は枝の任意の位置に合わせ、固定金具２に装着された副支柱４を捻じ込むものである。
鑑賞植物１０の枝の状態により、副支柱４に、副副支柱８を螺着した副固定金具７を装着し、枝の任意の位置に合わせ、副副支柱８を副固定金具７にネジ込み固定するものである。
上端部が中空のままの支柱１は、図７に示すように、傘状の用具１３を上端部に差し込み、上方部側面のネジ穴９へボルト１２を捻じ込むことで、傘状の用具１３の固定を可能にする。
【０００９】
【発明の効果】
本発明の支柱は、副支柱や副副支柱を取り付けるため、支柱を幾本も差し込むことが無くなり、また、下端部が扁平状であるため根に当たるとしても、根の側面を通過して土中に固定され、根に損傷を与えることが無くなり、旋回や倒伏が無くなる。  また、副支柱や副副支柱の固定も螺着構造であるため、簡便であり労力をあまり要しない。
そして、固定金具と副支柱あるいは副固定金具と副副支柱の本数を、鑑賞植物の成長に伴って加減することにより、鑑賞植物の育成を容易にし、風雨による倒伏や損傷を防護し、保護が可能となる。
さらに、支柱の上方部に傘状の用具を固定することが出来るので、強い風雨や陽光から、鑑賞植物を保護することが容易となる。
【図面の簡単な説明】
【図１】本発明の実施例の全体図である。
【図２】本発明の実施例の斜視図である。
【図３】本発明の実施例の一部を切り欠いたＡ−Ａ’の拡大断面図である。
【図４】本発明の実施例の一部を切り欠いたＢ−Ｂ’の拡大断面図である。
【図５】本発明の実施例の一部を切り欠いたＣ−Ｃ’の拡大断面図である。
【図６】本発明の実施例の一部を切り欠いたＤ−Ｄ’の拡大断面図である。
【図７】本発明の支柱に傘状の用具を固定した例を示す参考図である。
【符号の説明】
１  支柱
２  固定金具
３  螺合部
４  副支柱
５  ネジ込み部
６  扁平状
７  副固定金具
８  副副支柱
９  ネジ穴部
１０  鑑賞植物
１１  土中
１２  ボルト
１３  傘状の用具
【図１】
2004357676.tif 000003
【図２】
2004357676.tif 000004
【図３】
2004357676.tif 000005
【図４】
2004357676.tif 000006
【図５】
2004357676.tif 000007
【図６】
2004357676.tif 000008
【図７】
2004357676.tif 000009